(57)【特許請求の範囲】
【請求項１】
アンテナと受信装置との間に設けられるテレビジョン受信用機器であって、
前記アンテナにより受信された受信信号が入力される入力端子と、
該入力端子に入力された前記受信信号が直流阻止用のコンデンサを介して入力される機能部と、
該機能部からの出力信号がそれぞれ直流阻止用のコンデンサを介して出力される複数の出力端子と、
一の前記出力端子の下流側から当該出力端子に供給された直流電源が第１のチョークコイルを介してリレーコイルと常開接点に供給されると共に、他の前記出力端子に供給された他の直流電源が第２のチョークコイルを介して常閉接点に供給され、可動接点が第３のチョークコイルを介して前記入力端子に接続されているリレーと、
を備えることを特徴とするテレビジョン受信用機器。
【請求項２】
アンテナと受信装置との間に設けられるテレビジョン受信用機器であって、
前記アンテナにより受信された受信信号が入力される入力端子と、
該入力端子に入力された前記受信信号が直流阻止用のコンデンサを介して入力される４分配回路部と、
該４分配回路部で前記受信信号が４分配されて、それぞれ直流阻止用のコンデンサを介して出力される４つの出力端子と、
第１の前記出力端子の下流側から当該出力端子に供給された第１の直流電源が第１のチョークコイルを介して第１のリレーコイルと第１の常開接点に供給されると共に、第２の前記出力端子に供給された第２の直流電源が第２のチョークコイルを介して第１の常閉接点に供給されている第１のリレーと、
第３の前記出力端子の下流側から当該出力端子に供給された第３の直流電源が第３のチョークコイルを介して第２のリレーコイルと第２の常開接点に供給されると共に、第４の前記出力端子に供給された第４の直流電源が第４のチョークコイルを介して第２の常閉接点に供給されている第２のリレーと、
前記第１のリレーの前記第１の可動接点が第３の常閉接点に接続されると共に、前記第２のリレーの前記第２の可動接点が第３のリレーコイルと第３の常開接点に接続され、第３の可動接点が第５のチョークコイルを介して前記入力端子に接続されている第３のリレーと、
を備えることを特徴とするテレビジョン受信用機器。
【請求項３】
アンテナと受信装置との間に設けられるテレビジョン受信用機器であって、
前記アンテナにより受信された受信信号が入力される入力端子と、
該入力端子に入力された前記受信信号が直流阻止用のコンデンサを介して入力され、入力された前記受信信号を所定レベルに増幅するブースター部と、
該ブースター部からの出力信号がそれぞれ直流阻止用のコンデンサを介して出力される２つの出力端子と、
第１の前記出力端子の下流側から当該出力端子に供給された第１の直流電源が第１のチョークコイルを介してリレーコイルと常開接点に供給されると共に、第２の前記出力端子に供給された第２の直流電源が第２のチョークコイルを介して常閉接点に供給され、可動接点が第３のチョークコイルを介して前記入力端子に接続されているリレーと、
を備えることを特徴とするテレビジョン受信用機器。
【発明の詳細な説明】
【技術分野】
【０００１】
本発明は、テレビジョン受信信号を分配する分配器やテレビジョン受信信号を増幅するブースター等のアンテナとテレビジョン等の受信装置との間に設けられるテレビジョン受信用機器に関する。
【背景技術】
【０００２】
衛星放送用アンテナと地上デジタル放送用アンテナとを備えるテレビジョンの受信システムにおいては、従来、衛星放送用アンテナの受信信号と地上デジタル放送用アンテナの受信信号とを混合器で混合し、次いで、ブースターにより混合した受信信号を増幅し、さらに、増幅した受信信号を分配器で分配してテレビジョンやレコーダあるいはＴＶチューナ等の受信装置へ受信信号を供給するようにしている。この場合、衛星放送用アンテナではコンバータを動作させる直流電源（一般的には、ＤＣ１５Ｖ）が必要とされることから、テレビジョンやレコーダあるいはＴＶチューナ等の受信装置から直流電源を、受信信号を伝達する同軸ケーブルに重畳して衛星放送用アンテナに供給している。このように、衛星放送用アンテナに直流電源を供給するために、衛星放送用アンテナと受信装置との間に設けられる分配器、ブースターおよび混合器においては出力端子に供給された直流電源を入力端子から出力することのできる電通型の受信機用機器とされている。
【０００３】
従来の電通型の混合器の回路構成を図４に示す。この混合器１００は、衛星放送用アンテナの受信信号と地上デジタル放送用アンテナの受信信号とを混合することができる。
図４に示す混合器１００において、入力端子ＩＮ１０１には、衛星放送用アンテナの受信信号が入力され、入力端子ＩＮ１０２には、地上デジタル放送用アンテナの受信信号が入力される。第１入力端子ＩＮ１０１に入力された受信信号はコンデンサＣ１０１を介して混合回路１０１に入力され、第２入力端子ＩＮ１０２に入力された受信信号はコンデンサＣ１０２を介して混合回路１０１に入力される。混合回路１０１で混合された受信信号はコンデンサＣ１０３を介して出力端子ＯＵＴから出力される。
下流側の伝送線を介して出力端子ＯＵＴに供給された直流電源はチョークコイルＣＨ１０１を介して第１入力端子ＩＮ１０１から出力される。これにより、第１入力端子ＩＮ１０１から衛星放送用アンテナに直流電源がコンバータ電源として供給されるようになる。なお、コンデンサＣ１０１〜Ｃ１０３は直流阻止用として機能することから、直流電源が混合回路１０１に印加されるおそれはなく、チョークコイルＣＨ１０１は受信信号阻止用として機能することから、チョークコイルＣＨ１０１を介して受信信号が漏洩するおそれはない。
【０００４】
次に、従来の電通型の４分配器の回路構成を図５に示す。この４分配器１１０は、混合等された受信信号を４分配することができ、分配出力をそれぞれ出力する４つの出力端子の少なくとも１つに供給された直流電源を入力端子から出力することができる。
図５に示す４分配器１１０において、入力端子ＩＮに入力された受信信号は直流阻止用のコンデンサＣ１１１を介して４分配回路１１１に入力されて４分配される。４分配回路１１１からの４分配された第１の分配出力は直流阻止用のコンデンサＣ１１２を介して第１出力端子ＯＵＴ１１１から出力され、４分配回路１１１からの第２の分配出力は直流阻止用のコンデンサＣ１１３を介して第２出力端子ＯＵＴ１１２から出力され、４分配回路１１１からの第３の分配出力は直流阻止用のコンデンサＣ１１４を介して第３出力端子ＯＵＴ１１３から出力され、４分配回路１１１からの第４の分配出力は直流阻止用のコンデンサＣ１１５を介して第４出力端子ＯＵＴ１１４から出力される。
【０００５】
入力端子ＩＮにはチョークコイルＣＨ１１１の一端が接続されており、チョークコイルＣＨ１１１の他端は４つのダイオードＤ１１２，Ｄ１１３，Ｄ１１４，Ｄ１１５のカソードに接続されている。そして、ダイオードＤ１１２のアノードはチョークコイルＣＨ１１２を介して経路Ａ−Ａにより第１出力端子ＯＵＴ１１１に接続され、ダイオードＤ１１３のアノードはチョークコイルＣＨ１１３を介して経路Ｂ−Ｂにより第２出力端子ＯＵＴ１１２に接続され、ダイオードＤ１１４のアノードはチョークコイルＣＨ１１４を介して経路Ｃ−Ｃにより第３出力端子ＯＵＴ１１３に接続され、ダイオードＤ１１５のアノードはチョークコイルＣＨ１１５を介して経路Ｄ−Ｄにより第４出力端子ＯＵＴ１１４に接続される。
これにより、第１出力端子ＯＵＴ１１１ないし第４出力端子ＯＵＴ１１４の少なくとも１つに下流側の伝送線から供給された直流電源はＣＨ１１２−Ｄ１１２の経路、ＣＨ１１３−Ｄ１１３の経路、ＣＨ１１４−Ｄ１１４の経路、ＣＨ１１５−Ｄ１１５の経路の少なくとも１つを介し、さらに、チョークコイルＣＨ１１１を介して入力端子ＩＮから出力される。これにより、入力端子ＩＮの上流側に接続されている衛星放送用アンテナに直流電源をコンバータ電源として供給することが可能となる。なお、チョークコイルＣＨ１１１〜ＣＨ１１５は受信信号阻止用として機能することから、チョークコイルＣＨ１１１〜ＣＨ１１５を介して受信信号が漏洩するおそれはない。
【０００６】
次に、従来の２分配器を備える電通型ブースター２００の回路構成を図６に示す。この電通型ブースター２００は、分配器で分配等された受信信号を所定レベルに増幅して２分配して出力することができ、増幅してそれぞれ出力する２つの出力端子の少なくとも１つに供給された直流電源を入力端子から出力することができる。
図６に示す電通型ブースター２００はブースター部２００ａと２分配回路２０６とを含んでいる。入力端子ＩＮに入力された受信信号は直流阻止用のコンデンサＣ２０１を介してブースター部２００ａに供給され、地上デジタル放送帯域を抽出するローパスフィルタ（以下、「ＬＰＦ」という）２０１と、衛星放送のＩＦ帯域を抽出するハイパスフィルタ（以下、「ＨＰＦ」という）２０７に供給される。
【０００７】
ＬＰＦ２０１で抽出された地上デジタル放送の受信信号は、アンプ（以下、「ＡＭＰ」という）２０２に供給されて所定レベルに増幅され、ＬＰＦ２０３で不要成分が除去される。ＬＰＦ２０３からは、所定レベルに増幅された地上デジタル放送の受信信号が出力される。
また、ＨＰＦ２０７で抽出された衛星放送の受信信号は、ＡＭＰ２０８で所定レベルに増幅されＨＰＦ２０９で不要成分が除去されて出力される。ＬＰＦ２０３とＨＰＦ２０９との出力信号は混合されてブースター部２００ａから出力され、２分配回路２０６に供給されて２分配される。２分配回路２０６で分配された第１分配出力は直流阻止用のコンデンサＣ２０４を介して第１出力端子ＯＵＴ２０１から出力され、第２分配出力は直流阻止用のコンデンサＣ２０５を介して第２出力端子ＯＵＴ２０２から出力される。
なお、ＡＭＰ２０２およびＡＭＰ２０８には電源部２１０から電源が供給されている。
【０００８】
入力端子ＩＮにはチョークコイルＣＨ２０１の一端が接続されており、チョークコイルＣＨ２０１の他端は２つのダイオードＤ２０２，Ｄ２０３のカソードに接続されている。そして、ダイオードＤ２０２のアノードはチョークコイルＣＨ２０２を介して第１出力端子ＯＵＴ２０１に接続され、ダイオードＤ２０３のアノードはチョークコイルＣＨ２０３を介して第２出力端子ＯＵＴ２０２に接続される。
これにより、第１出力端子ＯＵＴ２０１と第２出力端子ＯＵＴ２０２の少なくとも１つに下流側の伝送線から供給された直流電源はＣＨ２０２−Ｄ２０２の経路、ＣＨ２０３−Ｄ２０３の経路の経路の少なくとも１つを介し、さらに、チョークコイルＣＨ２０１を介して入力端子ＩＮから出力される。これにより、入力端子ＩＮの上流側に接続されている衛星放送用アンテナに直流電源をコンバータ電源として供給することが可能となる。なお、チョークコイルＣＨ２０１〜ＣＨ２０３は受信信号阻止用として機能することから、チョークコイルＣＨ２０１〜ＣＨ２０３を介して受信信号が漏洩するおそれはない。
【先行技術文献】
【特許文献】
【０００９】
【特許文献１】特許第３５７７６７６号公報
【発明の概要】
【発明が解決しようとする課題】
【００１０】
従来のテレビジョン受信システムにおいては、各アンテナと混合器１００、混合器１００と４分配器１１０、４分配器１１０と電通型ブースター２００との間は同軸ケーブル等の伝送線により接続されることから、伝送線に直流電源を重畳した際には、伝送線の抵抗により若干の電圧降下が生じるようになる。また、４分配器１１０や電通型ブースター２００においては、ダイオードを用いて直流電源が逆流することを防止しており、直流電源はダイオードの順方向電圧分だけ電圧降下することになる。このような整流用のダイオードして一般的に用いられているシリコンダイオードにおいては順方向電圧が約０．７Ｖとされていることから、４分配器１１０や電通型ブースター２００を直流電源が通過する毎に約０．７Ｖずつ電圧降下してしまうことになる。
このようにテレビジョン受信システムにおいて、アンテナとテレビジョン間にテレビジョン受信用機器が複数介在することにより、電圧降下が大きくなってしまい、衛星放送用アンテナへ十分な電源供給を行えず、衛星放送用アンテナでの受信に影響が出てしまう恐れがあると云う問題点があった。
【００１１】
そこで、本発明は、直流電源の電圧降下が電通させた際に極力生じないテレビジョン受信用機器を提供することを目的としている。
【課題を解決するための手段】
【００１２】
本発明のテレビジョン受信用機器は、アンテナと受信装置との間に設けられるテレビジョン受信用機器であって、前記アンテナにより受信された受信信号が入力される入力端子と、該入力端子に入力された前記受信信号が直流阻止用のコンデンサを介して入力される機能部と、該機能部からの出力信号がそれぞれ直流阻止用のコンデンサを介して出力される複数の出力端子と、一の前記出力端子の下流側から当該出力端子に供給された直流電源が第１のチョークコイルを介してリレーコイルと常開接点に供給されると共に、他の前記出力端子に供給された他の直流電源が第２のチョークコイルを介して常閉接点に供給され、可動接点が第３のチョークコイルを介して前記入力端子に接続されているリレーとを備えることを最も主要な特徴としている。
【発明の効果】
【００１３】
本発明によれば、一の前記出力端子の下流側から当該出力端子に供給された直流電源が第１のチョークコイルを介してリレーコイルと常開接点に供給されると共に、他の前記出力端子に供給された他の直流電源が第２のチョークコイルを介して常閉接点に供給され、可動接点が第３のチョークコイルを介して前記入力端子に接続されているリレーとを備えている。これにより、出力端子に供給された直流電源はリレーの接点を介して入力端子から出力されるので、直流電源に電圧降下が生じることなく入力端子から出力することができるので、衛星放送用アンテナでの受信に影響が出てしまう恐れを極力防止することができるようになる。
【図面の簡単な説明】
【００１４】
【図１】本発明のテレビジョン受信用機器を用いるテレビジョン用の受信システムの構成を示すブロック図である。
【図２】本発明の実施例とされる電通型の４分配器の構成を示す回路図である。
【図３】本発明の実施例とされる電通型ブースターの構成を示す回路図である。
【図４】従来のテレビジョンの受信システムに用いられる電通型の混合器の構成を示す回路図である。
【図５】従来のテレビジョンの受信システムに用いられる電通型の４分配器の構成を示す回路図である。
【図６】従来のテレビジョンの受信システムに用いられる電通型ブースターの構成を示す回路図である。
【発明を実施するための形態】
【００１５】
本発明のテレビジョン受信用機器を用いるテレビジョン用の受信システムの構成を示すブロック図を図１に示す。
図１に示す受信システム１において、衛星放送用アンテナ１０はＢＳ放送およびＣＳ放送受信用のアンテナであり、内蔵するコンバータにより中間周波数に変換されたＢＳ−ＩＦ信号およびＣＳ−ＩＦ信号を受信信号として出力する。この受信信号の周波数帯域は１０３２ＭＨｚ〜２６０２ＭＨｚとされる。ＦＭアンテナ１１ａは、ＦＭラジオ放送を受信するアンテナであり、７６ＭＨｚ〜９０ＭＨｚの周波数帯域の受信信号を出力する。ＵＨＦアンテナ１１ｂは、地上デジタル放送を受信するアンテナであり、４７０ＭＨｚ〜７１０ＭＨｚの周波数帯域の受信信号を出力する。ＦＭアンテナ１１ａからの受信信号とＵＨＦアンテナ１１ｂからの受信信号は混合器１２ｂに入力されて混合される。また、衛星放送用アンテナ１０からの受信信号と、混合器１２ｂから出力されるＦＭアンテナ１１ａおよびＵＨＦアンテナ１１ｂからの受信信号は混合器１２ａに入力されて混合される。衛星放送用アンテナ１０からの受信信号が入力される混合器１２ａの入力端子は電通型とされ、図４に示す回路構成の混合器１００と同様の回路構成とされている。混合器１２ａから出力される混合された受信信号は、４分配器１３に供給されて４分配される。４分配された１つの出力信号は、建物の壁等に設けられたテレビコンセント１４に導かれる。４分配された残る３つの出力信号の出力経路は省略して示されている。
【００１６】
テレビコンセント１４の端子には、伝送線とされる同軸ケーブルの一端が同軸端子を介して装着され、この同軸ケーブルの他端は電通型ブースター１５に接続されている。電通型ブースター１５では、入力された受信信号をＦＭラジオ放送および地上デジタル放送の周波数帯域の受信信号と、ＢＳ／ＣＳ−ＩＦ信号の周波数帯域の受信信号とに分離して、ＦＭラジオ放送の受信信号を除いてそれぞれ所定レベルになるよう増幅する。そして、ＦＭラジオ放送の受信信号と増幅された地上デジタル放送とＢＳ／ＣＳ−ＩＦ信号との受信信号とを混合し、混合された受信信号を２分配して出力する。電通型ブースター１５により増幅・分配されて出力された第１の受信信号は、第１のテレビジョン（ＴＶ１）１６に供給され、第２の受信信号は第２のテレビジョン（ＴＶ２）１７に供給される。また、電通型ブースター１５から出力される受信信号はレコーダあるいはＴＶチューナ等の受信装置に供給されてもよい。
【００１７】
電通型ブースター１５から出力される受信信号が供給されるＴＶ１（１６）やＴＶ２（１７）等の受信装置においては、衛星放送用アンテナ１０のコンバータを動作させる直流電源を、受信装置のアンテナ端子に接続されている同軸ケーブルに重畳して衛星放送用アンテナ１０に供給することができる。この場合、同軸ケーブルに重畳されたコンバータ電源は、電通型ブースター１５の出力端子に供給され、電通型とされていることからその入力端子から出力され、さらに、上流側の同軸ケーブルを介してテレビコンセント１４に供給される。そして、コンバータ電源はテレビコンセント１４に接続されている同軸ケーブルを介して４分配器１３の出力端子に供給されるが、４分配器１３も電通型とされていることから、その入力端子からコンバータ電源が出力される。さらに、４分配器１３の入力端子から出力されたコンバータ電源は電通型の混合器１２ａの出力端子に供給されて、衛星放送用アンテナ１０からの受信信号が入力される入力端子から出力される。次いで、混合器１２ａの入力端子に接続されている同軸ケーブルを介して、コンバータ電源が衛星放送用アンテナ１０の出力端子に供給されることにより、コンバータ電源が衛星放送用アンテナ１０に内蔵されているコンバータに供給されるようになる。
【００１８】
次に、本発明のテレビジョン受信用機器の実施例である４分配器１３の構成を示す回路図を図２に示す。この４分配器１３は、混合等された受信信号を４分配することができ、分配出力をそれぞれ出力する４つの出力端子の少なくとも１つに供給された直流電源を入力端子から出力することができる。
図２に示す本発明の実施例にかかる４分配器１３において、入力端子ＩＮに入力された受信信号は直流阻止用のコンデンサＣ３１を介して４分配回路３０に入力されて４分配される。４分配回路３０からの４分配された第１の分配出力は直流阻止用のコンデンサＣ３２を介して第１出力端子ＯＵＴ１から出力され、４分配回路３０からの第２の分配出力は直流阻止用のコンデンサＣ３３を介して第２出力端子ＯＵＴ２から出力され、４分配回路３０からの第３の分配出力は直流阻止用のコンデンサＣ３４を介して第３出力端子ＯＵＴ３から出力され、４分配回路３０からの第４の分配出力は直流阻止用のコンデンサＣ３５を介して第４出力端子ＯＵＴ４から出力される。
なお、本発明の実施例にかかる４分配器１３ではリレーが用いられており、リレーにおいては、リレーコイルが駆動されていない状態で可動接点が接続される接点が常閉接点であり、リレーコイルが駆動されている状態で可動接点が接続される接点が常開接点である。
【００１９】
入力端子ＩＮにはチョークコイルＣＨ３１の一端が接続されており、チョークコイルＣＨ３１の他端は第１のリレーＲＹ１の可動接点ａ１に接続されている。この第１のリレーＲＹ１の常閉接点ｂ１は第２のリレーＲＹ２の可動接点ａ２に接続され、第１のリレーＲＹ１の常開接点ｃ１は第３のリレーＲＹ３の可動接点ａ３に接続されている。また、第１のリレーＲＹ１の一端がアースされたリレーコイルの他端は抵抗Ｒ１を介して第１のリレーＲＹ１の常開接点ｃ１および第３のリレーＲＹ３の可動接点ａ３に接続されている。さらに、第２のリレーＲＹ２の常閉接点ｂ２はチョークコイルＣＨ３２を介して経路Ａ−Ａにより第１の出力端子ＯＵＴ１に接続され、第２のリレーＲＹ２の常開接点ｃ２はチョークコイルＣＨ３３を介して経路Ｂ−Ｂにより第２の出力端子ＯＵＴ２に接続されている。また、第２のリレーＲＹ２の一端がアースされたリレーコイルの他端は抵抗Ｒ２を介して第２のリレーＲＹ２の常開接点ｃ２に接続されている。さらにまた、第３のリレーＲＹ３の常閉接点ｂ３はチョークコイルＣＨ３４を介して経路Ｃ−Ｃにより第３の出力端子ＯＵＴ３に接続され、第３のリレーＲＹ３の常開接点ｃ３はチョークコイルＣＨ３５を介して経路Ｄ−Ｄにより第４の出力端子ＯＵＴ４に接続されている。また、第３のリレーＲＹ３の一端がアースされたリレーコイルの他端は抵抗Ｒ３を介して第３のリレーＲＹ３の常開接点ｃ３に接続されている。
【００２０】
これにより、第４出力端子ＯＵＴ４に下流側の伝送線から直流電源（コンバータ電源）が供給された場合は、第１出力端子ＯＵＴ１および第２出力端子ＯＵＴ２、第３出力端子ＯＵＴ３に下流側の伝送線から直流電源（コンバータ電源）が供給されるか否かにかかわらず、第４出力端子ＯＵＴ４に供給された直流電源がチョークコイルＣＨ３５と抵抗Ｒ３を介して第３のリレーＲＹ３のリレーコイルに印加されることから、第３のリレーＲＹ３が駆動されて常開接点ｃ３側に可動接点ａ３が切り換わる。次いで、ＣＨ３５−ＲＹ３のｃ３−ＲＹ３のａ３の経路を介して、第１のリレーＲＹ１のリレーコイルに抵抗Ｒ１を介して直流電源が印加されて第１のリレーＲＹ１が駆動されて常開接点ｃ１側に可動接点ａ１が切り換わる。これにより、第４出力端子ＯＵＴ４に供給された直流電源が、ＣＨ３５−ＲＹ３のｃ３−ＲＹ３のａ３−ＲＹ１のｃ１−ＲＹ１のａ１の経路を介し、さらに、チョークコイルＣＨ３１を介して入力端子ＩＮから出力される。この結果、入力端子ＩＮの上流側に接続されている衛星放送用アンテナ１０に直流電源（コンバータ電源）を供給することが可能となる。
【００２１】
また、第３出力端子ＯＵＴ３に下流側の伝送線から直流電源（コンバータ電源）が供給され、第４出力端子ＯＵＴ４に下流側の伝送線から直流電源（コンバータ電源）が供給されない場合は、第１出力端子ＯＵＴ１および第２出力端子ＯＵＴ２に下流側の伝送線から直流電源（コンバータ電源）が供給されるか否かにかかわらず、第３出力端子ＯＵＴ３に供給された直流電源が、ＣＨ３４−ＲＹ３のｂ３−ＲＹ３のａ３−Ｒ１の経路を介して第１のリレーＲＹ１のリレーコイルに印加されることから、第１のリレーＲＹ１が駆動されて常開接点ｃ１側に可動接点ａ１が切り換わる。これにより、ＣＨ３４−ＲＹ３のｂ３−ＲＹ３のａ３−ＲＹ１のｃ１−ＲＹ１のａ１の経路を介し、さらに、チョークコイルＣＨ３１を介して入力端子ＩＮから出力される。この結果、入力端子ＩＮの上流側に接続されている衛星放送用アンテナ１０に直流電源（コンバータ電源）を供給することが可能となる。
【００２２】
さらにまた、第３出力端子ＯＵＴ３および第４出力端子ＯＵＴ４に下流側の伝送線から直流電源（コンバータ電源）が供給されず、第２出力端子ＯＵＴ２に下流側の伝送線から直流電源（コンバータ電源）が供給された場合は、第１出力端子ＯＵＴ１に下流側の伝送線から直流電源（コンバータ電源）が供給されるか否かにかかわらず、第２出力端子ＯＵＴ２に供給された直流電源がチョークコイルＣＨ３３と抵抗Ｒ２を介して第２のリレーＲＹ２のリレーコイルに印加されて第２のリレーＲＹ２が駆動されて常開接点ｃ２側に可動接点ａ２が切り換わる。これにより、ＣＨ３３−ＲＹ２のｃ２−ＲＹ２のａ２−ＲＹ１のｂ１−ＲＹ１のａ１の経路を介し、さらに、チョークコイルＣＨ３１を介して入力端子ＩＮから出力される。これにより、入力端子ＩＮの上流側に接続されている衛星放送用アンテナ１０に直流電源（コンバータ電源）を供給することが可能となる。
さらにまた、第２出力端子ＯＵＴ２、第３出力端子ＯＵＴ３および第４出力端子ＯＵＴ４に下流側の伝送線から直流電源（コンバータ電源）が供給されず、第１出力端子ＯＵＴ１に下流側の伝送線から直流電源（コンバータ電源）が供給された場合は、第１出力端子ＯＵＴ１に供給された直流電源が、ＣＨ３２−ＲＹ２のｂ２−ＲＹ２のａ２−ＲＹ１のｂ１−ＲＹ１のａ１の経路を介し、さらに、チョークコイルＣＨ３１を介して入力端子ＩＮから出力される。これにより、入力端子ＩＮの上流側に接続されている衛星放送用アンテナ１０に直流電源（コンバータ電源）を供給することが可能となる。
【００２３】
上記したように、本発明にかかる４分配器１３においては、第１出力端子ＯＵＴ１ないし第４出力端子ＯＵＴ４の少なくとも１つに下流側の伝送線から直流電源（コンバータ電源）が供給されることにより、供給された直流電源が入力端子ＩＮから出力される。この場合、リレーＲＹ１〜ＲＹ３では電圧降下が生じないことから、入力端子ＩＮの上流側に接続されている衛星放送用アンテナ１０に電圧降下が生じていない直流電源（コンバータ電源）が供給されるようになる。
なお、チョークコイルＣＨ３１〜ＣＨ３５は受信信号阻止用として機能することから、チョークコイルＣＨ３１〜ＣＨ３５を介して受信信号が漏洩するおそれはない。
【００２４】
次に、本発明のテレビジョン受信用機器の実施例である電通型ブースター１５の構成を示す回路図を図３に示す。この電通型ブースター１５は、上流側の分配器で分配等された受信信号を所定レベルに増幅して２分配して出力することができ、増幅してそれぞれ出力する２つの出力端子の少なくとも１つに供給された直流電源を入力端子から出力することができる。
図３に示す本発明にかかる電通型ブースター１５はブースター部１５ａと２分配回路２５とを含んでいる。入力端子ＩＮに入力された受信信号は直流阻止用のコンデンサＣ１を介してブースター部１５ａに供給され、ＦＭラジオ放送と地上デジタル放送との周波数帯域を抽出するローパスフィルタ（以下、「ＬＰＦ」という）２０と、衛星放送のＢＳ／ＣＳ−ＩＦ帯域を抽出するハイパスフィルタ（以下、「ＨＰＦ」という）２６に供給される。ＬＰＦ２０で抽出されたＦＭラジオ放送と地上デジタル放送の受信信号は、２段縦続接続されたＴ型のＬＰＦによりＦＭラジオ放送の受信信号が抽出されてＬＰＦ２４に入力される。このＴ型のＬＰＦは、直列接続された３つのコイルＬ１，Ｌ２，Ｌ３と、これらのコイル間とアース間に接続されたコンデンサＣ２，Ｃ３とから構成されている。
【００２５】
また、ＬＰＦ２０の出力からＨＰＦ２１により抽出された地上デジタル放送の受信信号は、アンプ（以下、「ＡＭＰ」という）２２に供給されて所定レベルに増幅され、不要成分を除去するＨＰＦ２３を介してＬＰＦ２４に供給される。ＬＰＦ２４は不要成分を除去するフィルタであり、ＦＭラジオ放送の受信信号と所定レベルに増幅された地上デジタル放送の受信信号とが混合されて出力される。さらに、ＨＰＦ２６で抽出された衛星放送の受信信号は、ＡＭＰ２７で所定レベルに増幅され不要成分を除去するＨＰＦ２８を介して出力される。ＬＰＦ２４とＨＰＦ２８との出力信号は混合されてブースター部１５ａから出力され、２分配回路２５に供給されて２分配される。２分配回路２５で分配された第１分配出力は直流阻止用のコンデンサＣ４を介して第１出力端子ＯＵＴ１から出力され、第２分配出力は直流阻止用のコンデンサＣ５を介して第２出力端子ＯＵＴ２から出力される。ＡＭＰ２２およびＡＭＰ２７には、電源部２９から電源が供給されている。
【００２６】
入力端子ＩＮにはチョークコイルＣＨ１の一端が接続されており、チョークコイルＣＨ１の他端はリレーＲＹの可動接点ａに接続されている。そして、リレーＲＹの常閉接点ｂはチョークコイルＣＨ２を介して第１出力端子ＯＵＴ１に接続され、リレーＲＹの常開接点ｃはチョークコイルＣＨ３を介して第２出力端子ＯＵＴ２に接続されている。
これにより、第２出力端子ＯＵＴ２に下流側の伝送線から直流電源（コンバータ電源）が供給された場合は、第１出力端子ＯＵＴ１に下流側の伝送線から直流電源が供給されているか否かに関わらず、第２出力端子ＯＵＴ２に供給された直流電源がチョークコイルＣＨ３と抵抗Ｒを介してリレーＲＹのリレーコイルに印加されることから、リレーＲＹが駆動されて常開接点ｃ側に可動接点ａが切り換わる。これにより、第２出力端子ＯＵＴ２に供給された直流電源が、ＣＨ３−ＲＹのｃ−ＲＹのａの経路を介し、さらに、チョークコイルＣＨ１を介して入力端子ＩＮから出力される。この結果、入力端子ＩＮの上流側に接続されている衛星放送用アンテナ１０に直流電源（コンバータ電源）を供給することが可能となる。
【００２７】
また、第２出力端子ＯＵＴ２に下流側の伝送線から直流電源（コンバータ電源）が供給されず、第１出力端子ＯＵＴ１に下流側の伝送線から直流電源が供給された場合は、第１出力端子ＯＵＴ１に供給された直流電源がチョークコイルＣＨ２を介してリレーＲＹの常閉接点ｂに印加されて、リレーＲＹの可動接点ａから直流電源が出力されるようになる。これにより、第１出力端子ＯＵＴ１に供給された直流電源が、ＣＨ２−ＲＹのｂ−ＲＹのａの経路を介し、さらに、チョークコイルＣＨ１を介して入力端子ＩＮから出力される。この結果、入力端子ＩＮの上流側に接続されている衛星放送用アンテナ１０に直流電源（コンバータ電源）を供給することが可能となる。
上記したように、本発明にかかる電通型ブースター１５においては、第１出力端子ＯＵＴ１と第２出力端子ＯＵＴ２の少なくとも１つに下流側の伝送線から直流電源（コンバータ電源）が供給されることにより、直流電源が入力端子ＩＮから出力される。この場合、リレーＲＹでは電圧降下が生じないことから、入力端子ＩＮの上流側に接続されている衛星放送用アンテナ１０に電圧降下が生じていない直流電源（コンバータ電源）が供給されるようになる。なお、チョークコイルＣＨ１〜ＣＨ３は受信信号阻止用として機能することから、チョークコイルＣＨ１〜ＣＨ３を介して受信信号が漏洩するおそれはない。
【産業上の利用可能性】
【００２８】
上記説明した本発明のテレビジョン受信用機器は、分配器やブースターに限らずアンテナと受信装置との間に設けられる受信用機器に適用することができる。
なお、本発明の実施例にかかる電通型ブースター１５において、ＡＭＰ２２およびＡＭＰ２７には電源部２９から電源が供給されているが、入力端子ＩＮから出力される直流電源をＡＭＰ２２およびＡＭＰ２７の動作電源として用いるようにしてもよい。
【符号の説明】
【００２９】
１  受信システム、１０  衛星放送用アンテナ、１１ａ  ＦＭアンテナ、１１ｂ  ＵＨＦアンテナ、１２ａ，１２ｂ  混合器、１３  ４分配器、１４  テレビコンセント、１５  電通型ブースター、１５ａ  ブースター部、１５ａ  ブースタ部、２０  ＬＰＦ、２１  ＨＰＦ、２２  ＡＭＰ、２３  ＨＰＦ、２４  ＬＰＦ、２５  ２分配回路、２６  ＨＰＦ、２７  ＡＭＰ、２８  ＨＰＦ、２９  電源部、３０  ４分配回路、１００  混合器、１０１  混合回路、１１０  ４分配器、１１１  ４分配回路、２００  電通型ブースター、２００ａ  ブースター部、２０６  ２分配回路、２１０  電源部、ＲＹ，ＲＹ１〜ＲＹ３  リレー
【図１】
0005777995.tif 000002
【図２】
0005777995.tif 000003
【図３】
0005777995.tif 000004
【図４】
0005777995.tif 000005
【図５】
0005777995.tif 000006
【図６】
0005777995.tif 000007